(57)【特許請求の範囲】
【請求項１】
電極から電界を電界伝達媒体に誘起して電界通信を行うことが可能な可動物体用電界通信装置及び固定物体用電界通信装置と、前記固定物体用電界通信装置に通信ネットワークを介して接続可能な管理装置と、を備えた電界通信セキュリティシステムであって、
前記可動物体用電界通信装置は、前記電界伝達媒体としての可動物体に配置され、前記可動物体としての物品に配置される物品用電界通信装置と、前記可動物体としての人体に配置される人体用電界通信装置と、を含むものであって、
前記物品用電界通信装置は、
前記物品を識別するための第１ａ識別番号を格納しておく格納手段と、
前記第１ａ識別番号を前記格納手段から読み出して、送信電極から前記物品へ電界により送信する送信手段と、を有し、
前記人体用電界通信装置は、
前記人体を識別するための第１ｂ識別番号を格納しておく第１格納手段と、
前記物品に前記人体が接触した場合に、前記物品及び前記人体を介して伝達されてくる前記第１ａ識別番号を、受信電極を介して受信する受信手段と、
受信した前記第１ａ識別番号を格納する第２格納手段と、
前記第１ａ識別番号を前記第２格納手段から読み出し、前記第１ｂ識別番号を前記第１格納手段から読み出して、前記人体が前記電界伝達媒体としての固定物体に接触した場合に、前記第１ａ識別番号及び前記第１ｂ識別番号を送信電極から前記人体と前記固定物体とを介して当該固定物体に配置された前記固定物体用電界通信装置へ電界により送信する送信手段と、を有し、
前記固定物体用電界通信装置は、
前記固定物体を識別するための第２識別番号を格納しておく第１格納手段と、
前記人体が前記固定物体に接触した場合に、前記人体と前記固定物体とを介して伝達されてくる前記第１ａ識別番号及び前記第１ｂ識別番号を、受信電極を介して受信する受信手段と、
受信した前記第１ａ識別番号及び前記第１ｂ識別番号を格納する第２格納手段と、
前記第１ａ識別番号及び前記第１ｂ識別番号を受信したときの受信時刻を格納する第３格納手段と、
前記第１ａ識別番号及び前記第１ｂ識別番号と前記第２識別番号とをそれぞれ前記第２格納手段及び前記第１格納手段から読み出し、前記受信時刻を前記第３格納手段から読み出して、前記管理装置へ前記通信ネットワークを介して伝送する伝送手段と、を有し、
前記管理装置は、
前記固定物体が配置される位置を示す位置情報と前記第２識別番号との対応関係を記憶しておく記憶手段と、
前記第１ａ識別番号及び前記第１ｂ識別番号と前記第２識別番号と前記受信時刻とを、前記通信ネットワークを介して受信する受信手段と、
前記第１ａ識別番号及び前記第１ｂ識別番号と前記受信時刻とを、前記第２識別番号が前記対応関係において対応する位置情報に関連付けて前記記憶手段に記憶させる管理手段と、
を有することを特徴とする電界通信セキュリティシステム。
【請求項２】
前記人体用電界通信装置は、前記第１ａ識別番号を受信したときの受信時刻を格納する格納手段を更に有し、
前記人体用電界通信装置の前記送信手段は、前記第１ａ識別番号及び前記第１ｂ識別番号を送信する際に、前記格納手段から前記受信時刻を読み出して併せて送信するものであることを特徴とする請求項１記載の電界通信セキュリティシステム。
【請求項３】
前記管理装置は、
前記位置情報と、その位置に配置される機器の使用を許可する人物を識別するための人物識別番号との対応を示す人物対応関係を記憶しておく記憶手段と、
前記管理装置の受信手段により受信した前記第１ａ識別番号及び前記第１ｂ識別番号と、前記管理手段により前記第１ａ識別番号及び前記第１ｂ識別番号に関連付けた位置情報に対して前記人物対応関係において対応する前記人物識別番号とを比較し、両者が一致する場合に前記機器に対して使用許可を示す制御信号を送信する機器制御手段と、
を有することを特徴とする請求項１記載の電界通信セキュリティシステム。
【請求項４】
前記管理装置は、
前記位置情報と、その位置における前記可動物体及び前記固定物体の接続関係について許容される接触順序とを関連付けて記憶しておく記憶手段と、
前記管理装置の受信手段により受信した前記第１ａ識別番号及び前記第１ｂ識別番号と前記第２識別番号の前記位置における接触順序と、前記記憶手段により記憶されている接触順序とを比較し、両者が一致しない場合に警告機器に対して警告信号を送信する警告信号送信手段と、
を有することを特徴とする請求項１記載の電界通信セキュリティシステム。
【請求項５】
電極から電界を電界伝達媒体に誘起して電界通信を行うことが可能な可動物体用電界通信装置及び固定物体用電界通信装置と、前記固定物体用電界通信装置に通信ネットワークを介して接続可能な管理装置と、で処理する電界通信セキュリティ方法であって、
前記可動物体用電界通信装置は、前記電界伝達媒体としての可動物体に配置され、前記可動物体としての物品に配置される物品用電界通信装置と、前記可動物体としての人体に配置される人体用電界通信装置と、を含むものであって、
前記物品用電界通信装置により、
前記物品を識別するための第１ａ識別番号を格納手段に格納しておくステップと、
前記第１ａ識別番号を前記格納手段から読み出して、送信電極から前記物品へ電界により送信するステップと、を有し、
前記人体用電界通信装置により、
前記人体を識別するための第１ｂ識別番号を第１格納手段に格納しておくステップと、
前記物品に前記人体が接触した場合に、前記物品及び前記人体を介して伝達されてくる前記第１ａ識別番号を、受信電極を介して受信するステップと、
受信した前記第１ａ識別番号を第２格納手段に格納するステップと、
前記第１ａ識別番号を前記第２格納手段から読み出し、前記第１ｂ識別番号を前記第１格納手段から読み出して、前記人体が前記電界伝達媒体としての固定物体に接触した場合に、前記第１ａ識別番号及び前記第１ｂ識別番号を送信電極から前記人体と前記固定物体とを介して当該固定物体に配置された前記固定物体用電界通信装置へ電界により送信するステップと、を有し、
前記固定物体用電界通信装置により、
前記固定物体を識別するための第２識別番号を第１格納手段に格納しておくステップと、
前記人体が前記固定物体に接触した場合に、前記人体と前記固定物体とを介して伝達されてくる前記第１ａ識別番号及び前記第１ｂ識別番号を、受信電極を介して受信するステップと、
受信した前記第１ａ識別番号及び前記第１ｂ識別番号を第２格納手段に格納するステップと、
前記第１ａ識別番号及び前記第１ｂ識別番号を受信したときの受信時刻を第３格納手段に格納するステップと、
前記第１ａ識別番号及び前記第１ｂ識別番号と前記第２識別番号とをそれぞれ前記第２格納手段及び前記第１格納手段から読み出し、前記受信時刻を前記第３格納手段から読み出して、前記管理装置へ前記通信ネットワークを介して伝送するステップと、を有し、
前記管理装置により、
前記固定物体が配置される位置を示す位置情報と前記第２識別番号との対応関係を記憶手段に記憶しておくステップと、
前記第１ａ識別番号及び前記第１ｂ識別番号と前記第２識別番号と前記受信時刻とを、前記通信ネットワークを介して受信するステップと、
前記第１ａ識別番号及び前記第１ｂ識別番号と前記受信時刻とを、前記第２識別番号が前記対応関係において対応する位置情報に関連付けて前記記憶手段に記憶させるステップと、
を有することを特徴とする電界通信セキュリティ方法。
【発明の詳細な説明】
【技術分野】
【０００１】
本発明は、電界伝達媒体に誘起される電界を利用して通信を行う電界通信装置を使用して、例えば、関係者のみを許可する入退室管理、机の上にどの物体がいつ載置されたか等の可動物体及び固定物体の設置場所の管理、人がどこに座っているか等の人物の動作に関する管理を行う技術に関する。
【背景技術】
【０００２】
インターネット等の利用が進む中で、情報の漏洩、破壊、改ざん、盗難、不正利用、不正侵入、又は自然災害、事故、装置の故障などにより、セキュリティに対する脅威が増大している。
【０００３】
特に最近は、企業内部からの社内情報の流出や、企業が保有する顧客や社員に関する個人情報の漏洩、パソコンの盗難等の発生件数が著しく増加しているため、社内外を問わず、関係者以外の立ち入りを禁止する場所や、ある場所における人の動作等に対するセキュリティ対策が必要である。
【０００４】
このセキュリティ対策として、従来、監視カメラを用いて、関係者以外の入室を禁止する部屋への入退室監視や、人の動作や物の設置場所等の監視を行っていた。尚、本願に関する技術としては、特許文献１に記載のものが知られている。
【特許文献１】特開２００３−３２４３９５公報
【発明の開示】
【発明が解決しようとする課題】
【０００５】
しかしながら、監視カメラによる監視方法は、監視対象となる特定の場所に監視カメラを設置し、設置された複数の監視カメラで撮影された人物や物等の画像を、通信回線を介して監視センタに伝送し、この伝送されてきた画像を監視センタで人が常時監視するため、監視カメラの導入に伴う高価なシステムが必要になるという問題や、画像を常時観察する人材の確保といった問題がある。
【０００６】
また、監視カメラから伝送されるデータは時間に対して連続的であるため、保存データが多くなり、尚且つ監視対象の増大に伴い伝送されるデータも更に増大するため、取得した画像の解析に膨大な時間を必要とする問題もある。
【０００７】
本発明は、上記を鑑みてなされたものであり、その課題とするところは、可動物体の配置場所や移動先について、低廉かつ簡易に管理可能とすることを課題とする。
【課題を解決するための手段】
【０００８】
本発明に係る電界通信セキュリティシステムは、電極から電界を電界伝達媒体に誘起して電界通信を行うことが可能な可動物体用電界通信装置及び固定物体用電界通信装置と、前記固定物体用電界通信装置に通信ネットワークを介して接続可能な管理装置と、を備えた電界通信セキュリティシステムであって、前記可動物体用電界通信装置は、前記電界伝達媒体としての可動物体に配置され、前記可動物体としての物品に配置される物品用電界通信装置と、前記可動物体としての人体に配置される人体用電界通信装置と、を含むものであって、前記物品用電界通信装置は、前記物品を識別するための第１ａ識別番号を格納しておく格納手段と、前記第１ａ識別番号を前記格納手段から読み出して、送信電極から前記物品へ電界により送信する送信手段と、を有し、前記人体用電界通信装置は、前記人体を識別するための第１ｂ識別番号を格納しておく第１格納手段と、前記物品に前記人体が接触した場合に、前記物品及び前記人体を介して伝達されてくる前記第１ａ識別番号を、受信電極を介して受信する受信手段と、受信した前記第１ａ識別番号を格納する第２格納手段と、前記第１ａ識別番号を前記第２格納手段から読み出し、前記第１ｂ識別番号を前記第１格納手段から読み出して、前記人体が前記電界伝達媒体としての固定物体に接触した場合に、前記第１ａ識別番号及び前記第１ｂ識別番号を送信電極から前記人体と前記固定物体とを介して当該固定物体に配置された前記固定物体用電界通信装置へ電界により送信する送信手段と、を有し、前記固定物体用電界通信装置は、前記固定物体を識別するための第２識別番号を格納しておく第１格納手段と、前記人体が前記固定物体に接触した場合に、前記人体と前記固定物体とを介して伝達されてくる前記第１ａ識別番号及び前記第１ｂ識別番号を、受信電極を介して受信する受信手段と、受信した前記第１ａ識別番号及び前記第１ｂ識別番号を格納する第２格納手段と、前記第１ａ識別番号及び前記第１ｂ識別番号を受信したときの受信時刻を格納する第３格納手段と、前記第１ａ識別番号及び前記第１ｂ識別番号と前記第２識別番号とをそれぞれ前記第２格納手段及び前記第１格納手段から読み出し、前記受信時刻を前記第３格納手段から読み出して、前記管理装置へ前記通信ネットワークを介して伝送する伝送手段と、を有し、前記管理装置は、前記固定物体が配置される位置を示す位置情報と前記第２識別番号との対応関係を記憶しておく記憶手段と、前記第１ａ識別番号及び前記第１ｂ識別番号と前記第２識別番号と前記受信時刻とを、前記通信ネットワークを介して受信する受信手段と、前記第１ａ識別番号及び前記第１ｂ識別番号と前記受信時刻とを、前記第２識別番号が前記対応関係において対応する位置情報に関連付けて前記記憶手段に記憶させる管理手段と、を有することを特徴とする。
【０００９】
本発明にあっては、可動物体用電界通信装置及び固定物体用電界通信装置から伝達される可動物体及び固定物体の識別番号を、管理装置により予め記憶されている固定物体の位置情報及び識別番号に関連付けて管理することで、例えば、机の上に重要物品を載置した場合、その重要物品が載置された机の場所を管理装置で特定することが可能である。
【００１１】
本発明にあっては、可動物体や固定物体の識別番号のみではなく、可動物体が固定物体に接触した時に可動物体用電界通信装置から送信される可動物体の識別番号を固定物体が受信した受信時刻についても管理装置に伝達されるので、例えば、ある物体がいつからその場所に存在しているのか、誰が何にいつ触ったのか等について、管理装置で管理することが可能である。
【００１３】
本発明にあっては、可動物体としての物品に配置される物品用電界通信装置と、可動物体としての人体に配置される人体用電界通信装置とにより、物品に接触した人体を介して物品の識別番号が人体用電界通信装置に送信され、更に固定物体に接触した人体を介して物品と人体との識別番号が管理装置に伝送されるので、例えば、ある薬ビンを手に取った者がどの場所に座っているのかについて管理装置で管理することが可能である。
【００１４】
上記電界通信セキュリティシステムにおいて、前記人体用電界通信装置は、前記第１ａ識別番号を受信したときの受信時刻を格納する格納手段を更に有し、前記人体用電界通信装置の前記送信手段は、前記第１ａ識別番号及び前記第１ｂ識別番号を送信する際に、前記格納手段から前記受信時刻を読み出して併せて送信するものであることを特徴とする。
【００１５】
本発明にあっては、人物が物品に接触した時に物品用電界通信装置から送信される物体の識別番号を受信した受信時刻についても管理装置に伝達されるので、例えば、第三者が、ある重要装置にいつ触れたのかについても管理装置で管理することが可能である。
【００１６】
上記電界通信セキュリティシステムにおいて、前記管理装置は、前記位置情報と、その位置に配置される機器の使用を許可する人物を識別するための人物識別番号との対応を示す人物対応関係を記憶しておく記憶手段と、前記管理装置の受信手段により受信した前記第１ａ識別番号及び前記第１ｂ識別番号と、前記管理手段により前記第１ａ識別番号及び前記第１ｂ識別番号に関連付けた位置情報に対して前記人物対応関係において対応する前記人物識別番号とを比較し、両者が一致する場合に前記機器に対して使用許可を示す制御信号を送信する機器制御手段と、を有することを特徴とする。
【００１７】
本発明にあっては、固定物体の位置に配置される機器の使用を許可する人物の識別番号と、管理装置が固定物体用電界通信装置から受信した人物の識別番号との比較により、一致した場合にはその機器に対して使用許可信号を送信することで、固定物体の位置によるアクセス制限や入退室管理を行うことが可能である。例えば、機密情報が格納されているパソコンが机の上に載置されている場合、管理装置により予め許可された者しかパソコンを操作することができないようにすることが可能である。また、例えば、機密書類が扱われている部屋への入室の際、管理装置により予め許可された人物に一致した者がその部屋のドアに触れた場合にのみ、ドアの鍵を開錠する制御信号を管理装置からドア鍵の制御装置に送信することができる。
【００１８】
上記電界通信セキュリティシステムにおいて、前記管理装置は、前記位置情報と、その位置における前記可動物体及び前記固定物体の接続関係について許容される接触順序とを関連付けて記憶しておく記憶手段と、前記管理装置の受信手段により受信した前記第１ａ識別番号及び前記第１ｂ識別番号と前記第２識別番号の前記位置における接触順序と、前記記憶手段により記憶されている接触順序とを比較し、両者が一致しない場合に警告機器に対して警告信号を送信する警告信号送信手段と、を有することを特徴とする。
【００１９】
本発明にあっては、固定物体の位置における可動物体と固定物体との接続関係について許容される接触順序と、管理装置が固定物体用電界通信装置から受信した可動物体及び固定物体のその位置における接触順序との比較により、一致しない場合には警告機器に対して警告信号を送信することで、作業ミス等を事前に防ぐことが可能である。例えば、ある作業者が、場所Ａでの作業終了後は温度管理された場所Ｂでの作業を得てから場所Ｃに移る手順が必要であるとして管理装置により設定されている場合、場所Ｂでの作業を行わなかった際にはブザー等の警告音や警告灯の点灯をすることができる。
【００２４】
本発明に係る電界通信セキュリティ方法は、電極から電界を電界伝達媒体に誘起して電界通信を行うことが可能な可動物体用電界通信装置及び固定物体用電界通信装置と、前記固定物体用電界通信装置に通信ネットワークを介して接続可能な管理装置と、で処理する電界通信セキュリティ方法であって、前記可動物体用電界通信装置は、前記電界伝達媒体としての可動物体に配置され、前記可動物体としての物品に配置される物品用電界通信装置と、前記可動物体としての人体に配置される人体用電界通信装置と、を含むものであって、前記物品用電界通信装置により、前記物品を識別するための第１ａ識別番号を格納手段に格納しておくステップと、前記第１ａ識別番号を前記格納手段から読み出して、送信電極から前記物品へ電界により送信するステップと、を有し、前記人体用電界通信装置により、前記人体を識別するための第１ｂ識別番号を第１格納手段に格納しておくステップと、前記物品に前記人体が接触した場合に、前記物品及び前記人体を介して伝達されてくる前記第１ａ識別番号を、受信電極を介して受信するステップと、受信した前記第１ａ識別番号を第２格納手段に格納するステップと、前記第１ａ識別番号を前記第２格納手段から読み出し、前記第１ｂ識別番号を前記第１格納手段から読み出して、前記人体が前記電界伝達媒体としての固定物体に接触した場合に、前記第１ａ識別番号及び前記第１ｂ識別番号を送信電極から前記人体と前記固定物体とを介して当該固定物体に配置された前記固定物体用電界通信装置へ電界により送信するステップと、を有し、前記固定物体用電界通信装置により、前記固定物体を識別するための第２識別番号を第１格納手段に格納しておくステップと、前記人体が前記固定物体に接触した場合に、前記人体と前記固定物体とを介して伝達されてくる前記第１ａ識別番号及び前記第１ｂ識別番号を、受信電極を介して受信するステップと、受信した前記第１ａ識別番号及び前記第１ｂ識別番号を第２格納手段に格納するステップと、前記第１ａ識別番号及び前記第１ｂ識別番号を受信したときの受信時刻を第３格納手段に格納するステップと、前記第１ａ識別番号及び前記第１ｂ識別番号と前記第２識別番号とをそれぞれ前記第２格納手段及び前記第１格納手段から読み出し、前記受信時刻を前記第３格納手段から読み出して、前記管理装置へ前記通信ネットワークを介して伝送するステップと、を有し、前記管理装置により、前記固定物体が配置される位置を示す位置情報と前記第２識別番号との対応関係を記憶手段に記憶しておくステップと、前記第１ａ識別番号及び前記第１ｂ識別番号と前記第２識別番号と前記受信時刻とを、前記通信ネットワークを介して受信するステップと、
前記第１ａ識別番号及び前記第１ｂ識別番号と前記受信時刻とを、前記第２識別番号が前記対応関係において対応する位置情報に関連付けて前記記憶手段に記憶させるステップと、を有することを特徴とする。
【発明の効果】
【００２７】
本発明によれば、可動物体の配置場所や移動先について、低廉かつ簡易に管理可能とすることができる。
【発明を実施するための最良の形態】
【００２８】
以下、本発明の実施の形態について図面を用いて説明する。
【００２９】
図１は、本発明の実施形態に係る電界通信セキュリティシステムの構成を示す模式図である。
【００３０】
図１に示すように、本電界通信セキュリティシステムは、管理装置１、可動物体に配置される可動物体用電界通信装置２、固定物体に配置される固定物体用電界通信装置３、アクセス制限を受けるアクセス対象機器、管理装置１に接続される警告機器７１、管理センタ５、及び管理装置１と固定物体用電界通信装置３又は管理センタ５とを接続する通信ネットワーク６を有する構成である。尚、可動物体用電界通信装置２は、可動物体の一例として物品６１に配置される物品用電界通信装置２ａ、及び可動物体の一例として人体５９に配置される人体用電界通信装置２ｂを含むものである。
【００３１】
可動物体としては、例えば、薬ビン、試験管等である。
【００３２】
固定物体としては、例えば、机、床、ドア、書庫、金庫、等である。
【００３３】
通信ネットワーク６としては、例えば、近接した場所に管理装置１を配置する場合には、イーサネット（登録商標）、トークンリング、無線ＬＡＮ（Ｌｏｃａｌ  Ａｒｅａ  Ｎｅｔｗｏｒｋ）等を利用することができ、また、遠隔場所に管理装置１を配置する場合には、インターネットや公衆回線網等を利用することができる。
【００３４】
アクセス対象機器としては、例えば、遮断機能を有するゲート、ドア２０１の電子錠、機密情報を格納している情報端末６２等である。
【００３５】
警告機器７１としては、例えば、警告用ランプ、警告音を発生するスピーカー、等を利用することができる。
【００３６】
次に、可動物体用電界通信装置２について説明する。
【００３７】
まず、可動物体用電界通信装置２の構成について図２の模式図を用いて説明する。可動物体用電界通信装置２は、情報処理を行うＭＰＵ（Ｍｉｃｒｏ  Ｐｒｏｃｅｓｓｉｎｇ  Ｕｎｉｔ）２１、情報を格納するメモリ２２、情報の表示を行う表示器２３、電界を電界伝達媒体に誘起する通信回路２４及び電極２７、電極２７を保護する絶縁体２８、入力電力から必要とされる出力電力を生成する電源回路２５、及び電源回路２５に入力電力を与える蓄電池２６を有する構成である。メモリ２２、表示器２３、及び通信回路２４は、ＭＰＵ２１に接続され、絶縁体２８により保護されている電極２７は通信回路２４に接続されている。蓄電池２６は、電源回路２５に接続されている。
【００３８】
続いて、可動物体用電界通信装置２の動作について説明する。可動物体用電界通信装置２は、電界伝達媒体としての可動物体に配置されるものであって、可動物体を識別することが可能な識別番号（以下、「第１識別番号」という。）をメモリ２２に格納し、ＭＰＵ２１により第１識別番号をメモリ２２から読み出して、通信回路２４により電極２７から電界を可動物体用電界通信装置２を配置している可動物体に誘起し、第１識別番号を電極２７から可動物体に送信する。また、可動物体用電界通信装置２の内部に蓄電池２６を備えているので、外部からの電力を必要とすることなく動作をすることができる。通信回路２４の構成及び動作については後述する。
【００３９】
また、物品用電界通信装置２ａの構成及び人体用電界通信装置２ｂの構成は、上記にて図２を参照して説明した可動物体用電界通信装置２の構成と同一である。
【００４０】
次に、物品用電界通信装置２ａ及び人体用電界通信装置２ｂを利用した場合の動作について説明する。ここでは、人体用電界通信装置２ｂを有している人物５９が固定物体用電界通信装置３を配置している固定物体に接触する場合（以下、「第１例」という。）と、人体用電界通信装置２ｂを有している人物５９が物品用電界通信装置２ａを配置している物品６１に接触した場合（以下、「第２例」という。）と、物品用電界通信装置２ａを配置している物品６１に接触した人体用電界通信装置２ｂを有している人物５９が更に固定物体用電界通信装置３を配置している固定物体に接触した場合（以下、「第３例」という。）と、に分けて図１を用いて説明する。
【００４１】
第１例では、人体用電界通信装置２ｂは、ＭＰＵ２１により人物５９を識別することが可能な識別番号（以下、「第１ｂ識別番号」という。）をメモリ２２から読み出して、通信回路２４により電極２７から電界を、人体用電界通信装置２ｂを配置している人体５９に誘起し、第１ｂ識別番号を電極２７から人体５９と固定物体とに送信する。
【００４２】
第２例では、人体用電界通信装置２ｂは、物品用電界通信装置２ａから送信される識別番号（以下、「第１ａ識別番号」という。）を、物品６１と人体５９とを介して通信回路２４により電極２７で受信し、受信した第１ａ識別番号は、ＭＰＵ２１により人体用電界通信装置２ｂのメモリ２２に格納される。更に、第１ａ識別番号を受信した受信時刻についても、メモリ２２に格納することができる。
【００４３】
第３例では、人体用電界通信装置２ｂは、通信回路２４により電極２７から電界を、人体用電界通信装置２ｂを配置している人体５９に誘起し、ＭＰＵ２１により人体用電界通信装置２ｂのメモリ２２に格納されている第１ａ識別番号、第１ｂ識別番号、及び受信時刻を電極２７から人体５９と固定物体とに送信する。
【００４４】
次に、固定物体用電界通信装置３について説明する。
【００４５】
まず、固定物体用電界通信装置３の構成について図３の模式図を用いて説明する。固定物体用電界通信装置３は、図２に示した可動物体用電界通信装置２の構成の他に、通信ネットワーク６との接続を行うネットワークインタフェース３６を有する構成である。また、電源回路３５に入力電力を与える蓄電池を備えていないので、外部からの電力供給により電源回路３５を動作させることができる。その他の構成については、図２で示した可動物体用電界通信装置２と同一である。
【００４６】
続いて、固定物体用電界通信装置３の動作について説明する。固定物体用電界通信装置３は、電界伝達媒体としての固定物体に配置されるものであって、固定物体を識別することが可能な識別番号（以下、「第２識別番号」という。）をメモリ３２に格納する。また、可動物体用電界通信装置２を配置している可動物体が固定物体用電界通信装置３を配置している固定物体に接触した場合に、固定物体用電界通信装置３は、可動物体用電界通信装置２から送信される識別番号（以下、「第１識別番号」という。）を、可動物体と固定物体とを介して通信回路３４により電極３７で受信し、受信した第１識別番号はＭＰＵ３１により固定物体用電界通信装置３のメモリ３２に格納される。更に、第１識別番号を受信した受信時刻についても、メモリ３２に格納することができる。その後、ＭＰＵ３１により第１識別番号、第２識別番号、及び受信時刻をメモリ３２から読み出して、ネットワークインタフェース３６から通信ネットワーク６を介して管理装置１へ送信する。通信回路３４の構成及び動作については後述する。
【００４７】
次に、物品用電界通信装置２ａを配置している物品６１が固定物体用電界通信装置３を配置している固定物体に接触する場合（以下、「第４例」という。）と、物品用電界通信装置２ａを配置している物品６１に接触した人体用電界通信装置２ｂを配置している人物５９が更に固定物体用電界通信装置３を配置している固定物体に接触した場合（以下、「第５例」という。）と、に分けて図１を用いて説明する。
【００４８】
第４例では、固定物体用電界通信装置３は、物品用電界通信装置２ａから送信される識別番号（以下、「第１ａ識別番号」という。）を、物品６１と固定物体とを介して通信回路３４により電極３７で受信し、受信した第１ａ識別番号はＭＰＵ３１により固定物体用電界通信装置３のメモリ３２に格納される。また、第１ａ識別番号を受信した受信時刻についても、固定物体用電界通信装置３のメモリ３２に格納することができる。その後、固定物体用電界通信装置３のＭＰＵ３１により、メモリ３２に格納されている第１ａ識別番号、第２識別番号及び受信時刻を、ネットワークインタフェース３６から通信ネットワーク６を介して管理装置１へ送信する。
【００４９】
第５例では、人体用電界通信装置２ｂは、物品用電界通信装置２ａから発信される第１ａ識別番号を、物品６１と人体５９とを介して通信回路２４により電極２７で受信し、受信した第１ａ識別番号はＭＰＵ２１により人体用電界通信装置２ｂのメモリ２２に格納される。また、第１ａ識別番号を受信した受信時刻（以下、「第１受信時刻」という。）についても、人体用電界通信装置２ｂのメモリ２２に格納することができる。その後、人体用電界通信装置２ｂは、通信回路２４により電極２７から電界を、人体用電界通信装置２ｂを配置している人体５９に誘起し、ＭＰＵ２１により人体用電界通信装置２ｂのメモリ２２に格納されている第１ａ識別番号、人物５９を識別することが可能な識別番号（以下、「第１ｂ識別番号」という。）、及び第１受信時刻を電極２７から人体５９と固定物体とに送信する。固定物体用電界通信装置３は、人体用電界通信装置２ｂから発信される第１ａ識別番号、第１ｂ識別番号、及び第１受信時刻を、人体５９と固定物体とを介して通信回路３４により電極３７で受信し、受信した第１ａ識別番号、第１ｂ識別番号、及び第１受信時刻は、ＭＰＵ３１により固定物体用電界通信装置３のメモリ３２に格納される。また、第１ａ識別番号、第１ｂ識別番号、及び第１受信時刻を受信した受信時刻（以下、「第２受信時刻」という。）についても、固定物体用電界通信装置３のメモリ３２に格納することができる。その後、固定物体用電界通信装置３のＭＰＵ３１により、メモリ３２に格納されている第１ａ識別番号、第１ｂ識別番号、第２識別番号、第１受信時刻、及び第２受信時刻を、ネットワークインタフェース３６から通信ネットワーク６を介して管理装置１へ送信する。
【００５０】
図４は、可動物体用電界通信装置２における通信回路２４、及び固定物体用電界通信装置３における通信回路３４の共通の構成を示すブロック図である。以下、通信回路２４を用いて説明する。
【００５１】
図４に示すように、ＭＰＵ２１と電極２７との間を接続する通信回路２４は、インタフェース５０を介してＭＰＵ２１に接続される。通信回路２４は、このＭＰＵ２１からインタフェース５０を介して他の電界通信装置に送信するための送信データを受け取ると、レベル調整回路５１で送信データの信号振幅を調整してから、送信回路５２を介して送信電極２７ｃに供給するようになっている。
【００５２】
送信電極２７ｃは、送信回路５２から送信データが供給されると、この送信データに対応する電界を電界伝達媒体１００に誘起する。この誘起された電界は、電界伝達媒体１００を伝達して、他の電界通信装置の受信電極２７ｄで受信される。
【００５３】
電界検出光学部５３は、受信電極２７ｄで受信した電界が供給され、電界光学手法を利用した電界検出光学部５３内で別途発生するレーザ光を偏光変化させ、この偏光変化したレーザ光を受光回路５４で電気信号に変換する。この電気信号は、バンドパスフィルタ５５での帯域制限により不要な雑音が除去され、更に波形整形回路５６で波形が整形されてから、インタフェース５０を介してＭＰＵ２１に供給されるようになっている。
【００５４】
なお、送信電極２７ｃと受信電極２７ｄは、一体化して１つの電極２７で各電極を構成してもよいものである。
【００５５】
次に、管理装置１について説明する。
【００５６】
まず、管理装置１の構成について図５のブロック図を用いて説明する。管理装置１は、通信ネットワーク６を介して固定物体用電界通信装置３から伝送される識別番号及び受信時刻を受信する受信部１０、情報を格納する格納部１１、情報処理を行う処理部１２、データ入力を行うデータ入力部１３、アクセス対象機器７０に制御信号７２又は警告機器７１に警告信号７３を送信する送信部１４、及び管理センタ５に通知を行う通知部１５から構成されている。管理装置１は、コンピュータで構成され、各部の処理は、プログラムで実行される。
【００５７】
管理装置１は、固定物体用電界通信装置３に通信ネットワーク６を介して接続される。固定物体用電界通信装置３は、電極２７から電界を電界伝達媒体に誘起して電界通信を行うことが可能な可動物体用電界通信装置２から、可動物体用電界通信装置２が配置される可動物体を識別するための識別番号（以下、「第１識別番号」という。）が固定物体用電界通信装置３に送信されてきたときに第１識別番号を受信し、第１識別番号と固定物体用電界通信装置３が配置される固定物体を識別するための識別番号（以下、「第２識別番号」という。）とを併せて伝達するものである。
【００５８】
続いて、図５及び図６を用いて、管理装置１の動作について説明する。
【００５９】
最初に、管理装置１が、通信ネットワーク６を介して、第１識別番号及び第２識別番号を受信する場合の動作について説明する（図６の例１参照）。
【００６０】
第１のステップとして、管理装置１は、予め、データ入力部１３から固定物体が配置される位置を示す位置情報及び第２識別番号の入力を受け付ける。
【００６１】
第２のステップとして、管理装置１は、第１のステップで受け付けた固定物体の位置と第２識別番号との対応を関係付けた結果を、処理部１２により格納部１１へ格納する。
【００６２】
第３のステップとして、管理装置１は、固定物体用電界通信装置３により通信ネットワーク６を介して伝達された第１識別番号及び第２識別番号を受信部１０により受信する。
【００６３】
第４のステップとして、管理装置１は、第３のステップで受信した第１識別番号を、処理部１２により、第２識別番号が第２のステップで格納した対応関係において対応する固定物体の位置に関連付ける。
【００６４】
第５のステップとして、管理装置１は、第４のステップにより関連付けられた第１識別番号を、処理部１２により格納部１１へ格納する。
【００６５】
次に、管理装置１が、第１識別番号及び第２識別番号と共に、固定物体用電界通信装置３が可動物体用電界通信装置２から第１識別番号を受信したときの受信時刻についても受信した場合の動作について説明する（図６の例２参照）。
【００６６】
上記第１ステップ及び第２ステップについては同一である。
【００６７】
第３のステップとして、管理装置１は、固定物体用電界通信装置３により通信ネットワーク６を介して伝達された第１識別番号、第２識別番号、及び受信時刻を受信する。
【００６８】
第４のステップとして、管理装置１は、当該第３のステップにより受信した第１識別番号及び受信時刻を、処理部１２により、第２識別番号が第２のステップで格納した対応関係において対応する固定物体の位置に関連付ける。
【００６９】
第５のステップとして、管理装置１は、当該第４のステップにより関連付けられた第１識別番号及び受信時刻を、処理部１２により格納部１１へ格納する。
【００７０】
次に、固定物体の位置に配置される機器の使用が制限されている場合の動作について説明する（図６の例３参照）。
【００７１】
上記第１ステップ及び第２ステップについては同一である。
【００７２】
第３のステップとして、管理装置１は、予め、データ入力部１３から固定物体の位置に配置される機器の使用を許可する人物を識別するための人物識別番号の入力を受け付ける。
【００７３】
第４のステップとして、管理装置１は、当該第３のステップにより受け付けた人物識別番号とその固定物体の位置との対応を関係付けた結果を、処理部１２により格納部１１へ格納する。
【００７４】
第５のステップとして、管理装置１は、固定物体用電界通信装置３により通信ネットワーク６を介して伝達された第１識別番号及び第２識別番号を受信部１０により受信する。
【００７５】
第６のステップとして、管理装置１は、当該第５のステップで受信した第１識別番号を、処理部１２により、第２識別番号が第２のステップで格納した対応関係において対応する固定物体の位置に関連付ける。
【００７６】
第７のステップとして、管理装置１は、当該第６のステップにより関連付けられた第１識別番号を、処理部１２により格納部１１へ格納する。
【００７７】
第８のステップとして、管理装置１は、当該第４のステップにより格納された人物識別番号と、当該第７のステップにより格納された第１識別番号とを、処理部１２により比較する。
【００７８】
第９のステップとして、管理装置１は、当該第８ステップにおける比較の結果、一致する場合には、送信部１４によりアクセス対象機器７０に対して制御信号７２を送信する。
【００７９】
最後に、可動物体及び固定物体の接触関係について許容されている接触順序の場合の動作について説明する（図６の例４参照）。
【００８０】
上記第１ステップ及び第２ステップについては同一である。
【００８１】
第３のステップとして、管理装置１は、予め、データ入力部１３から固定物体の場所の位置における第１識別番号の接触順序の入力を受け付ける。
【００８２】
第４のステップとして、管理装置１は、当該第３のステップにより受け付けた第１識別番号の接触順序とその固定物体の位置との対応を関係付けた結果を、処理部１２により格納部１１へ格納する。
【００８３】
第５のステップとして、管理装置１は、固定物体用電界通信装置３により通信ネットワーク６を介して伝達された第１識別番号及び第２識別番号を受信部１０により受信する。
【００８４】
第６のステップとして、管理装置１は、当該第５のステップで受信した第１識別番号を、処理部１２により、第２識別番号が第２のステップで格納した対応関係において対応する固定物体の位置に関連付ける。
【００８５】
第７のステップとして、管理装置１は、当該第６のステップにより関連付けられた第１識別番号及び当該第１識別番号の接触順序を、処理部１２により格納部１１へ格納する。
【００８６】
第８のステップとして、管理装置１は、当該第４のステップにより格納された接触順序と、当該第７のステップにより格納された接触順序とを、処理部１２により比較する。
【００８７】
第９のステップとして、管理装置１は、第８ステップにおける比較の結果、一致しない場合には、送信部１４により警告機器７１に対して警告信号７３を送信する。
【００８８】
次に、図１乃至図３、図５、及び図６を参照し、本実施形態に係る電界通信セキュリティシステムの実施例について説明する。
【実施例１】
【００８９】
ここでは更に図７も用いて、可動物体用電界通信装置２を配置している重要物品６０が、固定物体用電界通信装置３を配置している机２０２の上に載置された場合の動作について説明する。
【００９０】
管理装置１は、予め、データ入力部１３により、机２０２が配置される位置と机２０２の識別番号との入力を受け付け、処理部１２により、机２０２の位置と机２０２の識別番号との対応関係を格納部１１に記憶しておく（図７のＡ参照）。
【００９１】
重要物品６０を識別する識別番号がメモリ２２に格納された可動物体用電界通信装置２は、ＭＰＵ２１により、その重要物品６０の識別番号をメモリ２２から読み出して、電極２７から電界伝達媒体としての可動物体である重要物品６０へ電界により送信する。
【００９２】
図１に示すように、重要物品６０が電界伝達媒体としての固定物体である机２０２に載置された場合、机２０２を識別する識別番号がメモリ３２に格納された固定物体用電界通信装置３は、ＭＰＵ３１により、重要物品６０と机２０２とを介して伝達されてくる重要物品６０の識別番号を、電極３７を介して受信する。その後、受信した重要物品６０の識別番号を、ＭＰＵ３１により、メモリ３２に格納する。そして、固定物体用電界通信装置３は、ＭＰＵ３１により、重要物品６０の識別番号及び机２０２の識別番号をメモリ３２から読み出し、管理装置１へ通信ネットワーク６を介して伝達する。
【００９３】
管理装置１は、受信部１０により、固定物体用電界通信装置３から伝送される重要物品６０の識別番号及び机２０２の識別番号を、通信ネットワーク６を介して受信する。その後、管理装置１は、処理部１２により、固定物体用電界通信装置３から受信した机２０２の識別番号と予め格納部１１に記憶された机２０２の識別番号とを照合することにより、受信した重要物品６０の識別番号を、図７で示した机２０２の位置と机２０２の識別番号との対応関係において対応する机２０２の位置に関連付けて格納部１１に記憶する（図７のＢ参照）。
【００９４】
本実施例１によれば、可動物体用電界通信装置２及び固定物体用電界通信装置３から伝達される可動物体及び固定物体の識別番号を、管理装置１により予め記憶されている固定物体の位置情報及び識別番号に関連付けて管理することで、机２０２の上に重要物品６０を載置した場合、その重要物品６０が載置された机２０２の場所を管理装置１で特定することが可能である。
【００９５】
更に、固定物体用電界通信装置３は、ＭＰＵ３１により、重要物品６０を介して伝達される重要物品６０の識別番号を受信したときの受信時刻についても、固定物体用電界通信装置３のメモリ３２に格納することができる。そして、固定物体用電界通信装置３は、その受信時刻を、重要物品６０の識別番号及び机２０２の識別番号と共にメモリ３２から読み出し、管理装置１へ通信ネットワーク６を介して伝送する。
【００９６】
管理装置１は、受信部１０により、固定物体用電界通信装置３から伝送される受信時刻を、重要物品６０の識別番号及び机２０２の識別番号と共に、通信ネットワーク６を介して受信する。その後、管理装置１は、処理部１２により、固定物体用電界通信装置３から受信した受信時刻を、図７で示した机２０２の位置と机２０２の識別番号との対応関係において対応する机２０２の位置に関連付けて格納部１１に記憶する（図７のＣ参照）。
【００９７】
本実施例１によれば、可動物体が固定物体に接触した時に可動物体用電界通信装置２から送信される可動物体の識別番号を固定物体が受信した受信時刻についても管理装置１に伝達されるので、重要物品６０がいつからその場所に存在しているのかについて、管理装置１で管理することが可能である。
【実施例２】
【００９８】
ここでは更に図８も用いて、人体用電界通信装置２ｂを有する人物５９が、物品用電界通信装置２ａを配置している物品６１を手にとり、固定物体用電界通信装置３を配置している床２００の上に乗る場合の動作について説明する。
【００９９】
管理装置１は、予め、データ入力部１３により、床２００の位置と床２００の識別番号との入力を受け付け、処理部１２により、床２００の位置と床２００の識別番号との対応関係を格納部１１に記憶しておく（図８のＡ参照）。
【０１００】
図１の物品６１を識別する識別番号がメモリ２２ａに格納された物品用電界通信装置２ａは、ＭＰＵ２１ａにより、その物品６１の識別番号をメモリ２２ａから読み出して、電極２７ａから電界伝達媒体としての可動物体である物品６１へ電界により送信する。
【０１０１】
電界伝達媒体としての人体５９である人物５９がその物品６１に接触した場合、人物５９を識別する識別番号がメモリ２２ｂに格納された人体用電界通信装置２ｂは、ＭＰＵ２１ｂにより、物品６１と人体５９とを介して伝達されてくる物品６１の識別番号を、電極２７ｂを介して受信する。その後、受信した物品６１の識別番号を、ＭＰＵ２１ｂにより、メモリ２２ｂに格納する。
【０１０２】
その後、人物５９が電界伝達媒体としての固定物体である床２００に接触した場合、人体用電界通信装置２ｂは、ＭＰＵ２１ｂにより、物品６１の識別番号及び人物５９の識別番号をメモリ２２ｂから読み出し、電極２７ｂから電界通信媒体としての人体５９と床２００を介して、固定物体用電界通信装置３へ伝達する。床２００を識別する識別番号がメモリ３２に格納された固定物体用電界通信装置３は、ＭＰＵ３１により、人体５９と床２００とを介して伝達されてくる物品６１及び人物５９の識別番号を、電極３７を介して受信する。その後、受信した物品６１の識別番号及び人物５９の識別番号を、ＭＰＵ３１により、メモリ３２に格納する。そして、固定物体用電界通信装置３は、ＭＰＵ３１により、物品６１の識別番号、人物５９の識別番号、及び床２００の識別番号をメモリ３２から読み出し、管理装置１へ通信ネットワーク６を介して伝達する。
【０１０３】
管理装置１は、受信部１０により、固定物体用電界通信装置３から伝送される物品６１の識別番号、人物５９の識別番号、及び床２００の識別番号を、通信ネットワーク６を介して受信する。その後、管理装置１は、処理部１２により、固定物体用電界通信装置３から受信した床２００の識別番号と予め格納部１１に記憶された床２００の識別番号とを照合することにより、受信した物品６１の識別番号及び人物５９の識別番号を、図８で示した床２００の位置と床２００の識別番号との対応関係において対応する机２０２の位置に関連付けて格納部１１に記憶する（図８のＢ参照）。
【０１０４】
本実施例２によれば、可動物体としての物品６１に配置される物品用電界通信装置２ａと、可動物体としての人体５９に配置される人体用電界通信装置２ｂとにより、物品６１に接触した人体５９を介して物品６１の識別番号が人体用電界通信装置２ｂに送信され、更に固定物体に接触した人体５９を介して物品６１と人体５９との識別番号が管理装置１に伝送されるので、物品６１を有する人物５９が床２００の上に存在することを管理装置１で管理することが可能である。
【０１０５】
更に、人体用電界通信装置２ｂは、物品６１を介して伝達される物品６１の識別番号を受信したときの受信時刻（以下、「第１受信時刻」という。）についても、人体用電界通信装置２ｂのメモリ２２ｂに格納することができる。人体用電界通信装置２ｂは、ＭＰＵ２１ｂにより、第１受信時刻を、物品６１の識別番号及び人物５９の識別番号と共にメモリ２２ｂから読み出し、電極２７ｂから電界通信媒体としての人体５９と床２００を介して、固定物体用電界通信装置３へ伝達する。また、固定物体用電界通信装置３は、人体５９を介して伝達される物品６１の識別番号、人物５９の識別番号、及び第１受信時刻を受信したときの受信時刻（以下、「第２受信時刻」という。）についても、固定物体用電界通信装置３のメモリ３２に格納することができる。そして、固定物体用電界通信装置３は、第２受信時刻を、物品６１の識別番号と人体５９の識別番号と床２００の識別番号と第１受信時刻と共に格納部１１から読み出し、管理装置１へ通信ネットワーク６を介して伝送する。
【０１０６】
管理装置１は、受信部１０により、固定物体用電界通信装置３から伝送される第２受信時刻を、物品６１の識別番号と人体５９の識別番号と床２００の識別番号と第１受信時刻と共に、通信ネットワーク６を介して受信する。その後、管理装置１は、処理部１２により、固定物体用電界通信装置３から受信した第１受信時刻と第２受信時刻を、図８で示した床２００の位置と床２００の識別番号との対応関係において対応する床２００の位置に関連付けて格納部１１に記憶する（図８のＣ参照）。
【０１０７】
本実施例２によれば、人物５９が物品６１に接触した時に物品用電界通信装置２ａから送信される物品６１の識別番号を受信した受信時刻についても人体用電界通信装置２ｂから管理装置１に伝達され、更に人物５９が固定物体に接触した時に人体用電界通信装置２ｂから送信される人物５９の識別番号を受信した時刻についても人体用電界通信装置２ｂから管理装置１に伝達されるので、物品６１にいつから接触し、その物品６１に接触した人物５９がいつから床２００の上に存在しているのかについて管理装置１で管理することが可能である。
【実施例３】
【０１０８】
ここでは更に図９も用いて、可動物体用電界通信装置２を有する人物５９が、固定物体用電界通信装置３を有する固定物体に配置されたアクセス対象機器７０の使用を行う場合の動作について説明する。
【０１０９】
図１の管理装置１は、予め、データ入力部１３により、固定物体が配置される位置と固定物体の識別番号との入力を受け付け、処理部１２により、固定物体の位置と固定物体の識別番号との対応関係を格納部１１に記憶しておく（図９のＡ参照）。
【０１１０】
更に、管理装置１は、予め、データ入力部１３により、固定物体に配置されたアクセス対象機器７０に配置された機器の使用を許可する人物を識別するための人物識別番号の入力を受け付け、処理部１２により、人物識別番号と固定物体との対応関係を格納部１１に記憶しておく（図９のＢ参照）。
【０１１１】
人物５９を識別する識別番号がメモリ２２に格納された可動物体用電界通信装置２は、ＭＰＵ２１により、その人物５９の識別番号をメモリ２２から読み出して、電極２７から電界伝達媒体としての可動物体である人体５９へ電界により送信する。
【０１１２】
人物５９が電界伝達媒体としての固定物体に接触した場合に、固定物体を識別する識別番号がメモリ３２に格納された固定物体用電界通信装置３は、ＭＰＵ３１により、人物５９と固定物体とを介して伝達されてくる人物５９の識別番号を、電極３７を介して受信する。その後、受信した人物５９の識別番号を、ＭＰＵ３１により、メモリ３２に格納する。そして、固定物体用電界通信装置３は、ＭＰＵ３１により、人物５９の識別番号及び固定物体の識別番号をメモリ３２から読み出し、管理装置１へ通信ネットワーク６を介して伝達する。
【０１１３】
管理装置１は、受信部１０により、固定物体用電界通信装置３から伝送される人物５９の識別番号及び固定物体の識別番号を、通信ネットワーク６を介して受信する。その後、管理装置１は、処理部１２により、固定物体用電界通信装置３から受信した固定物体の識別番号と予め格納部１１に記憶された固定物体の識別番号とを照合することにより、受信した人物５９の識別番号を、図９で示した固定物体の位置と固定物体の識別番号との対応関係において対応する固定物体の位置に関連付けて格納部１１に記憶する（図９のＣ参照）。
【０１１４】
管理装置１は、処理部１２により、固定物体用電界通信装置３から受信した人物５９の識別番号と予め格納部１１に記憶された人物識別番号とを比較し、両者が一致する場合にアクセス対象機器７０に対して使用許可を示す制御信号７２を送信部１４により送信する。
【０１１５】
本実施例３によれば、固定物体の位置に配置されるアクセス対象機器７０の使用を許可する人物５９の識別番号と、管理装置１が固定物体用電界通信装置３から受信した人物５９の識別番号との比較により、一致した場合にはそのアクセス対象機器７０に対して使用許可信号を送信することで、アクセス制限を行うことが可能である。例えば、固定物体としてドア２０１を利用し、ドア２０１に配置されるアクセス対象機器７０としてドア鍵を使用する場合には、入退室管理を行うことが可能である。また、例えば、机の上に載置された機密情報を格納している情報端末６２の利用を制限することや、書庫２０３へのアクセスを制限することも可能である。
【実施例４】
【０１１６】
ここでは更に図１０及び図１１も用いて、可動物体用電界通信装置２を有する作業者８０が、固定物体用電界通信装置３が配置された場所を移動して作業を行う場合の動作について説明する。
【０１１７】
管理装置１は、予め、データ入力部１３により、場所の位置とその場所の識別番号との入力を受け付け、処理部１２により、場所の位置とその場所の識別番号との対応関係を格納部１１に記憶しておく（図１１のＡ参照）。更に、管理装置１は、処理部１２により、場所の位置における作業者８０の接触順序との対応関係を格納部１１に記憶しておく（図１１のＢ参照）。
【０１１８】
作業者８０を識別する識別番号がメモリ２２に格納された可動物体用電界通信装置２は、ＭＰＵ２１により、その作業者８０の識別番号をメモリ２２から読み出して、電極２７から電界伝達媒体としての可動物体である作業者８０の人体へ電界により送信する。
【０１１９】
作業者８０が電界伝達媒体としての固定物体である場所８１に接触した場合に、場所８１を識別する識別番号がメモリ３２に格納された固定物体用電界通信装置３は、ＭＰＵ３１により、作業者８０の人体と場所８１とを介して伝達されてくる作業者８０の識別番号を、電極３７を介して受信する。その後、受信した作業者８０の識別番号を、ＭＰＵ３１により、メモリ３２に格納する。そして、固定物体用電界通信装置３は、ＭＰＵ３１により、作業者８０の識別番号及び場所８１の識別番号をメモリ３２から読み出し、管理装置１へ通信ネットワーク６を介して伝達する。
【０１２０】
管理装置１は、受信部１０により、固定物体用電界通信装置３から伝送される作業者８０の識別番号及び場所８１の識別番号を、通信ネットワーク６を介して受信する。その後、管理装置１は、処理部１２により、固定物体用電界通信装置３から受信した場所８１の識別番号と予め格納部１１に記憶された場所８１の識別番号とを照合することにより、受信した作業者８０の識別番号を、図１１で示した場所８１の位置と場所８１の識別番号との対応関係において対応する場所８１の位置に関連付けて格納部１１に記憶する（図１１のＣ参照）。その後、管理装置１は、処理部１２により、固定物体用電界通信装置３から受信した作業者８０の識別番号についての場所８１の位置における接触順序と、予め格納部１１に記憶された作業順序とを比較する。管理装置１は、両者が一致しない場合、警告機器７１に対して警告信号７３を送信する。更に、管理装置１は、インターネットや公衆回線網で接続された監視センタへ、通知部１５により、警告を通知する。
【０１２１】
例えば、図１０で示したように、ある作業に対する作業順序が、場所８１での作業を１番目、場所８２での作業を２番目、場所８３での作業を３番目であるとする。作業者８０が、場所８１での作業終了後、場所８３に移動した場合、場所８３における作業順序は３番目であるにもかかわらず、その作業者８０の場所８３における接触順番は２番目であり、両者は一致しない。一致しない場合、管理装置１は、警告表示器等の警告機器７１に対して警告信号７３を送信する。
【０１２２】
本実施例４によれば、固定物体の位置における可動物体と固定物体との接続関係について許容される接触順序と、管理装置１が固定物体用電界通信装置３から受信した可動物体及び固定物体のその位置における接触順序との比較により、一致しない場合には警告表示器等の警告機器７１に対して警告信号７３を送信することで、作業ミス等を事前に防ぐことが可能である。
【図面の簡単な説明】
【０１２３】
【図１】本発明の実施形態に係る電界通信セキュリティシステムの構成を示す模式図である。
【図２】可動物体用電界通信装置の構成を示す模式図である。
【図３】固定物体用電界通信装置の構成を示す模式図である。
【図４】通信回路の構成を示すブロック図である。
【図５】管理装置の構成を示すブロック図である。
【図６】本発明の実施形態に係る管理装置の格納部における固定物体と可動物体との対応関係図である。
【図７】実施例１に係る管理装置の格納部における固定物体と可動物体との対応関係図である。
【図８】実施例２に係る管理装置の格納部における固定物体と可動物体との対応関係図である。
【図９】実施例３に係る管理装置の格納部における固定物体と可動物体との対応関係図である。
【図１０】移動作業を伴う場合の実施形態に係る電界通信セキュリティシステムの構成を示す模式図である。
【図１１】実施例４に係る管理装置の格納部における固定物体と可動物体との対応関係図である。
【符号の説明】
【０１２４】
１…管理装置
２…可動物体用電界通信装置
２ａ…物品用電界通信装置
２ｂ…人体用電界通信装置
３…固定物体用電界通信装置
５…管理センタ
６…通信ネットワーク
１０…受信部
１１…格納部
１２…処理部
１３…データ受付部
１４…送信部
１５…通知部
２１，２１ａ，２１ｂ，３１…ＭＰＵ
２２，２２ａ，２２ｂ，３２…メモリ
２３，３３…表示器
２４，３４…通信回路
２５，３５…電源回路
２６…蓄電池
２７，２７ａ，２７ｂ，３７…電極
２７ｃ…送信電極
２７ｄ…受信電極
２８，３８…絶縁体
３６…ネットワークインタフェース
５０…インタフェース
５１…レベル調整回路
５２…送信回路
５３…電界検出光学部
５４…受光回路
５５…バンドパスフィルタ
５６…波形整形回路
５９…人物（人体）
６０…重要物品
６１…物品
６２…情報端末
７０…アクセス対象機器
７１…警告機器
７２…制御信号
７３…警告信号
８０…作業者
８１，８２，８３…場所
１００…電界伝達媒体
２００…床
２００ａ…床面
２０１…ドア
２０２…机
２０３…書庫
【図１】
0004499668.tif 000002
【図２】
0004499668.tif 000003
【図３】
0004499668.tif 000004
【図４】
0004499668.tif 000005
【図５】
0004499668.tif 000006
【図６】
0004499668.tif 000007
【図７】
0004499668.tif 000008
【図８】
0004499668.tif 000009
【図９】
0004499668.tif 000010
【図１０】
0004499668.tif 000011
【図１１】
0004499668.tif 000012